(57)【要約】【課題】使用者が通信をより快適に行うことができる携帯端末装置、通信システム及び通信方法を提供すること。【解決手段】携帯端末装置１００は、送受信部１１０により送信する情報、又は受信した情報を処理する信号処理部１２０と、信号処理部１２０の演算結果から通信品質を算出し、算出した通信品質を基にデータ通信時の通信状況を判断する通信品質算出部１３０と、通信品質算出部１３０により判断した通信状況を通知する通知部１４０と、通知部１４０により通知される通信状況を、表示画面１６０に通信状況表示アイコン１６１で段階的に表示する表示部１５０とを備える。【選択図】図２
2011254348.tif 000002
【特許請求の範囲】
【請求項１】
基地局と通信を行う送受信部と、
前記送受信部により送受信する情報を処理する信号処理部と、
前記信号処理部の演算結果から通信品質を算出し、算出した通信品質を基にデータ通信時の通信状況を判断する通信品質算出部と、
前記通信品質部により判断した通信状況を通知する通知部と、
を備える携帯端末装置。
【請求項２】
前記通知部により通知される前記通信状況を段階的に表示する表示部を備える請求項１記載の携帯端末装置。
【請求項３】
前記通信状況に基づいて、通信種別を切替える切替部を備える請求項１記載の携帯端末装置。
【請求項４】
前記信号処理部は、受信情報の欠損率、受信情報の復元エラー率、受信情報の伸張エラー率、又は送信情報のエラー率のうち少なくとも一つを検出し、
前記通信品質算出部は、検出した受信情報の欠損率、受信情報の復元エラー率、受信情報の伸張エラー率、又は送信情報のエラー率を基にデータ通信時の通信状況を判断する、請求項１記載の携帯端末装置。
【請求項５】
アプリケーションサーバと、交換局と、基地局と、携帯端末装置と、を備える通信システムであって、
前記アプリケーションサーバは、前記携帯端末装置とアプリケーション情報を送受信するユーザデータ送受信部を有し、
前記交換局は、前記携帯端末装置と論理伝送路を確立する伝送制御部を有し、
前記基地局は、前記携帯端末装置と無線伝送路を確立する伝送制御部を有し、
前記携帯端末装置は、
前記基地局と通信を行う送受信部と、
前記送受信部により送受信する情報を処理する信号処理部と、
前記信号処理部の演算結果から通信品質を算出し、算出した通信品質を基にデータ通信時の通信状況を判断する通信品質算出部と、
前記通信品質部により判断した通信状況を通知する通知部と、
を備える通信システム。
【請求項６】
前記携帯端末装置は、前記通知部により通知される前記通信状況に基づいて、通信種別を切替える切替部を備える請求項５記載の通信システム。
【請求項７】
アプリケーションサーバと、交換局と、基地局と、携帯端末装置と、を備える通信システムに用いられる通信方法であって、
前記アプリケーションサーバにおいて、
前記携帯端末装置とアプリケーション情報を送受信するユーザデータ送受信ステップを有し、
前記交換局において、
前記携帯端末装置と論理伝送路を確立する伝送制御ステップを有し、
前記基地局において、
前記携帯端末装置と無線伝送路を確立する伝送制御ステップを有し、
前記携帯端末装置において、
前記基地局と通信を行うステップと、
前記送受信部により送受信する情報を処理するステップと、
前記情報処理結果から通信品質を算出し、算出した通信品質を基にデータ通信時の通信状況を判断するステップと、
判断した前記通信状況を通知するステップと、
を有する通信方法。
【請求項８】
前記携帯端末装置において、前記通知される前記通信状況に基づいて、通信種別を切替えるステップを有する請求項７記載の通信方法。
【発明の詳細な説明】
【技術分野】
【０００１】
本発明は、携帯電話機などの携帯端末装置、通信システム及び通信方法に関する。
【背景技術】
【０００２】
現在、３ＧＰＰ（3rd Generation Partnership Project）のＴＳＧ ＲＡＮ(Technical Specification Group Radio Access Network)において、次世代移動通信システムであるＬＴＥ(Long Term Evolution)の検討が進められている。
【０００３】
特許文献１には、基地局から送信される制御信号により伝送速度を算出し、表示画面に表示する移動通信端末が記載されている。
【先行技術文献】
【特許文献】
【０００４】
【特許文献１】特開２００４−５６２０８号公報
【発明の概要】
【発明が解決しようとする課題】
【０００５】
しかしながら、このような従来技術には、データ通信時に以下の課題がある。
【０００６】
データ通信を行う場合、データ通信は携帯情報端末と基地局間で行っているのではなく、基地局の先にあるアプリケーションなどの通信先と行っている。このため、携帯情報端末と基地局間の伝送条件による伝送速度の理論値と、実際のデータの伝送速度は必ずしも一致しない場合がある。
【０００７】
また、基地局と携帯情報端末間の伝送速度が確保されたとしても、データのエラーが発生し、再送による遅延や、データの欠損による情報の抜けが起これば、サービスの利用者が快適に通信を行っていることにはならないという課題がある。
【０００８】
パケット通信によるデータ通信利用が増加し、音声等のリアルタイム通信を行うようになると、伝送速度だけでは使用者にサービスを利用するために適した状態か通知するには不十分である。
【０００９】
本発明の目的は、使用者が通信をより快適に行うことができる携帯端末装置、通信システム及び通信方法を提供することを目的とする。
【課題を解決するための手段】
【００１０】
本発明の携帯端末装置は、基地局と通信を行う送受信部と、前記送受信部により送受信する情報を処理する信号処理部と、前記信号処理部の演算結果から通信品質を算出し、算出した通信品質を基にデータ通信時の通信状況を判断する通信品質算出部と、前記通信品質部により判断した通信状況を通知する通知部と、を備える構成を採る。
【００１１】
本発明の通信システムは、アプリケーションサーバと、交換局と、基地局と、携帯端末装置と、を備える通信システムであって、前記アプリケーションサーバは、前記携帯端末装置とアプリケーション情報を送受信するユーザデータ送受信部を有し、前記交換局は、前記携帯端末装置と論理伝送路を確立する伝送制御部を有し、前記基地局は、前記携帯端末装置と無線伝送路を確立する伝送制御部を有し、前記携帯端末装置は、前記基地局と通信を行う送受信部と、前記送受信部により送受信する情報を処理する信号処理部と、前記信号処理部の演算結果から通信品質を算出し、算出した通信品質を基にデータ通信時の通信状況を判断する通信品質算出部と、前記通信品質部により判断した通信状況を通知する通知部と、を備える構成を採る。
【００１２】
本発明の通信方法は、アプリケーションサーバと、交換局と、基地局と、携帯端末装置と、を備える通信システムに用いられる通信方法であって、前記アプリケーションサーバにおいて、前記携帯端末装置とアプリケーション情報を送受信するユーザデータ送受信ステップを有し、前記交換局において、前記携帯端末装置と論理伝送路を確立する伝送制御ステップを有し、前記基地局において、前記携帯端末装置と無線伝送路を確立する伝送制御ステップを有し、前記携帯端末装置において、前記基地局と通信を行うステップと、前記送受信部により送受信する情報を処理するステップと、前記情報処理結果から通信品質を算出し、算出した通信品質を基にデータ通信時の通信状況を判断するステップと、判断した前記通信状況を通知するステップと、を有する。
【発明の効果】
【００１３】
本発明によれば、使用者は、データ通信時に現在の通信状況が、リアルタイム通信及び、ストリーミングやファイル転送などの利用しているサービスに適しているかどうか判断することができる。したがって、使用者が利用ドメインの切り替えや、通信技術の切り替えを行うことが可能となり、より快適なデータ通信を行うことができる。
【図面の簡単な説明】
【００１４】
【図１】本発明の実施の形態１に係る携帯端末装置の外観図
【図２】上記実施の形態１に係る携帯端末装置の構成を示すブロック図
【図３】上記実施の形態１に係る携帯端末装置の信号処理部の機能を示すブロック図
【図４】上記実施の形態１に係る携帯端末装置の動作を示すフロー図
【図５】上記実施の形態１に係る携帯端末装置の信号処理部における処理内容の一例を表１にして示す図
【図６】上記実施の形態１に係る携帯端末装置の通信状況を段階的に表示する処理内容の一例を表２にして示す図
【図７】上記実施の形態１に係る携帯端末装置のデータ通信環境により変化する表示を説明する図
【図８】本発明の実施の形態２に係る携帯端末装置の構成を示すブロック図
【図９】上記実施の形態２に係る通信端末装置の動作を示すフロー図
【図１０】本発明の実施の形態３に係る携帯端末装置を備える通信システムの構成を示すブロック図
【図１１】上記実施の形態３に係る携帯端末装置を備える通信システムの動作を示すフローチ図
【図１２】本発明の実施の形態４に係る携帯端末装置を備える通信システムの構成を示すブロック図
【図１３】上記実施の形態４に係る携帯端末装置を備える通信システムの動作を示すフローチ図
【発明を実施するための形態】
【００１５】
以下、本発明の実施の形態について図面を参照して詳細に説明する。
【００１６】
図１は、本発明の実施の形態１に係る携帯端末装置の外観図である。本実施の形態は、携帯端末装置として携帯電話機／ＰＨＳ（Personal Handy-Phone System）を適用した例である。
【００１７】
図１に示すように、携帯端末装置１００は、アンテナ１０１、表示部１０２、及び操作部１０３を備えて構成される。なお、図示は省略するが、音声を入力するマイク、着信音等を出力するスピーカ、画像を撮影するカメラ部、外部機器と接続するコネクタ部などが設けられる。
【００１８】
表示部１０２は、ＬＣＤディスプレイ、又は有機ＥＬディスプレイからなり、複数の情報を表示画面１６０に表示する。表示部１０２は、表示画面１６０の上部及び下部に電池，アンテナ，カレンダー，時刻などのアイコン１６０ａを表示し、表示画面１６０の中央部に各種ソフトキー１６０ｂを表示する。特に、表示画面１６０のアイコン１６０ａには、現在の通信状況の段階的な度合いを表示する通信状況表示アイコン１６１を有する。
【００１９】
図２は、上記携帯端末装置１００の構成を示すブロック図である。本実施の形態の携帯端末装置１００は、３ＧＰＰ移動通信システムの通信端末装置に適用した例である。
【００２０】
図２に示すように、通信端末装置１００は、送受信部１１０、信号処理部１２０、通信品質算出部１３０、通知部１４０、及び表示部１５０を備える。
【００２１】
送受信部１１０は、基地局と通信を行う。送受信部１１０は、通信する音声・データ信号を電波により送受信する。
【００２２】
信号処理部１２０は、送受信部１１０により送信する情報、又は受信した情報を処理する。信号処理部１２０は、送信情報又は受信情報を伝送路で送受信するための処理を行う通信プロトコルを有する。通信プロトコルは、３ＧＰＰで規格されているＬＴＥのＭＡＣ／ＲＬＣ／ＰＤＣＰ／ＲＲＣといった無線通信プロトコル又は、ＩＰ／ＴＣＰ／ＲＴＰといったネットワークプロトコルである。信号処理部１２０は、ＲＦＣで規格されているＲＯＨＣといったヘッダ圧縮機能とすることもできる。信号処理部１２０の演算結果は、通信品質算出部１３０において、通信状況の判断に利用される。
【００２３】
通信品質算出部１３０は、信号処理部１２０の演算結果から通信品質を算出し、算出した通信品質を基にデータ通信時の通信状況を判断する。
【００２４】
通知部１４０は、通信品質算出部１３０により判断した通信状況を通知する。通知部１４０は、通信品質算出部１３０により出力された情報を入力し、入力された表示出力内容を実際に表示部１５０で表示するビットマップ配置に変換する。上記ビットマップ配置は、通信状況を段階的に表示するアイコンである。
【００２５】
表示部１５０は、図１の表示部１０２の機能ブロックであり、表示画面１６０には複数の情報が表示されている。表示部１５０は、通知部１４０からの情報を入力し、現在通信を行っている基地局のデータ通信環境を表示する。表示部１５０は、通知部１４０からの通知を基に通信状況を段階的に表示する。
【００２６】
図３は、信号処理部１２０の機能を示すブロック図である。
【００２７】
図３に示すように、信号処理部１２０は、欠損率検出部１２１と、データエラー率検出部１２２とを備える。データエラー率検出部１２２は、復元エラー率検出部１２２１、伸長エラー率検出部１２２２、及び整合性エラー率検出部１２２３を備える。
【００２８】
欠損率検出部１２１は、受信情報を処理し、受信情報の欠損率を検出する。欠損率とは、受信データが欠損した割合を示すものであり、例えば欠損率が大きいとは受信データの欠損が多く、欠損率が小さいとは欠損が少ないことを示す。
【００２９】
データエラー率検出部１２２は、データのエラー率を検出する。
【００３０】
復元エラー率検出部１２２１は、受信情報の復元エラー率を検出する。
【００３１】
伸長エラー率検出部１２２２は、受信情報の伸張エラー率を検出する。
【００３２】
整合性エラー率検出部１２２３は、データの整合性エラーである送信情報のエラー率を検出する。
【００３３】
なお、信号処理部１２０は、欠損率検出部１２１、復元エラー率検出部１２２１、伸長エラー率検出部１２２２、又は整合性エラー率検出部１２２３の少なくともいずれか一つを備えるものであればよく、これらを組み合わせて用いてもよい。
【００３４】
以下、上述のように構成された携帯端末装置１００の動作について説明する。
【００３５】
図４は、携帯端末装置１００の動作を示すフローチャートである。
【００３６】
まず、ステップＳ１で、携帯端末装置１００は、現在通信を行っている基地局から、通信データを受信すると、送受信部１１０で受信する。
【００３７】
ステップＳ２では、送受信部１１０は、受信情報を信号処理部１２０へ出力する。信号処理部１２０は、受信情報の順序制御、復号化、整合性、伸長の処理を行い、エラーの発生率やデータの欠損率の処理内容を通信品質算出部１３０へ通知する。
【００３８】
ステップＳ３では、通信品質算出部１３０は、信号処理部１２０の処理結果に基づいて通信状況を算出する。
【００３９】
ステップＳ４では、通信品質算出部１３０は、通信状況を算出後、算出した情報を通知部１４０へ出力する。通知部１４０は、通信品質算出部１３０から出力された情報を、表示部１５０で表示するビットマップ配置に変換する。表示部１５０は、ビットマップ配置に変換されたデータを表示する。
【００４０】
次に、図４のステップＳ３における通信品質算出部１３０によるデータ通信状況の算出方法について説明する。
【００４１】
図５は、信号処理部１２０における処理内容の一例を表１にして示す図である。
【００４２】
図５に示すように、表１は、パラメータ毎に、変数、品質係数、及び品質算出を有する。パラメータは、例えばＲＬＣレイヤでの欠損率、ＰＤＣＰレイヤでの欠損率、ＲＴＰレイヤでの欠損率、ＰＤＣＰレイヤでの復号エラー率、ＲＯＨＣ伸長エラー率、ＲＯＨＣ ＣＲＣエラー率であり、変数は順にＮ１〜Ｎ６、品質係数は各１０である。
【００４３】
ＩＰ／ＲＴＰ層までの欠損率が０％を通信状況１００とし、エラー発生による減算方式で通信状況を算出する（次式（１）参照）。
【００４４】
１００−（Ｎ１＋Ｎ２＋Ｎ３＋Ｎ４＋Ｎ５＋Ｎ６）×１０  …（１）
【００４５】
図６は、通信状況を段階的に表示する処理内容の一例を表２にして示す図である。
【００４６】
例えば、ＲＬＣレイヤでの欠損率０．１％、ＰＤＣＰレイヤでの欠損率０．２％、ＲＴＰレイヤでの欠損率０．３％、ＰＤＣＰレイヤでの復号エラー率０．４％、ＲＯＨＣ伸長エラー率０．５％、ＲＯＨＣ ＣＲＣエラー率０．６％である場合、次式（２）となる。
【００４７】
１００−（０．１＋０．２＋０．３＋０．４＋０．５＋０．６）×１０＝７９
…（２）
このとき算出されるデータ通信状況は、表２における９０〜７０の範囲内となるため、データ通信状況は、表示レベル３となる。
【００４８】
次に、図４のステップＳ４における表示部１５０によるデータ通信環境の表示方法について説明する。
【００４９】
図７は、携帯端末装置１００のデータ通信環境により変化する表示を説明する図である。
【００５０】
通信品質算出部１３０において、データ通信状況が表示レベル１と算出された場合、通知部１４０は、表示レベル１という情報に応じ、表示レベル１という内容を表す内容のビットマップ配置に変換する。図７（ａ）に示すように、表示部１５０（図１参照。以下同様）の表示画面１６０には、通信状況の最も劣化した度合いを示す通信状況表示アイコン１６１１が表示される。
【００５１】
通信品質算出部１３０において、データ通信状況が表示レベル２と算出された場合、通知部１４０は、表示レベル２という情報に応じ、表示レベル２という内容を表す内容のビットマップ配置に変換する。図７（ｂ）に示すように、表示部１５０の表示画面１６０には、通信状況の劣化した度合いを示す通信状況表示アイコン１６１２が表示される。
【００５２】
通信品質算出部１３０において、データ通信状況が表示レベル３と算出された場合、通知部１４０は、表示レベル３という情報に応じ、表示レベル３という内容を表す内容のビットマップ配置に変換する。図７（ｃ）に示すように、表示部１５０の表示画面１６０には、通信状況の良好な度合いを示す通信状況表示アイコン１６１３が表示される。
【００５３】
通信品質算出部１３０において、データ通信状況が表示レベル４と算出された場合、通知部１４０は、表示レベル４という情報に応じ、表示レベル４という内容を表す内容のビットマップ配置に変換する。図７（ｃ）に示すように、表示部１５０の表示画面１６０には、通信状況の最も良好な度合いを示す通信状況表示アイコン１６１４が表示される。
【００５４】
上記通信状況表示アイコン１６１表示により、使用者は、データ通信の状況を的確に把握することができる。このため、使用者は、通信種別を選択し、最適な通信を行うことができる。
【００５５】
これまでは、電波受信感度が最大を示している場合（表示部１５０のアイコン１６０ａのアンテナのアイコンが３本を示している場合）であっても、パケット通信によるリアルタイムサービスは音声欠落や画像欠落といったデータ欠損が発生していた。
【００５６】
これに対して、本実施の形態によれば、使用者は、通信状況表示アイコン１６１表示により、データ通信状況を認知することができるようになったので、データ通信状況の表示レベルが低い場合には、「パケット交換から回線交換へ通信種別を変更する」、「ＬＴＥからＷＬＡＮへ切替える」といった対応をとることができるようになる。
【００５７】
このため、使用者は、より快適にデータ通信を行うことができるようになる。
【００５８】
以上詳細に説明したように、本実施の形態によれば、携帯端末装置１００は、送受信部１１０により送信する情報、又は受信した情報を処理する信号処理部１２０と、信号処理部１２０の演算結果から通信品質を算出し、算出した通信品質を基にデータ通信時の通信状況を判断する通信品質算出部１３０と、通信品質算出部１３０により判断した通信状況を通知する通知部１４０と、通知部１４０により通知される通信状況を、表示画面１６０に通信状況表示アイコン１６１で段階的に表示する表示部１５０とを備える。
【００５９】
これにより、使用者は、データ通信時に現在の通信状況が、リアルタイム通信や、ストリーミングやファイル転送などの利用しているサービスに適しているかどうか判断することができる。例えば、使用者が利用ドメインの切り替えや、通信技術の切り替えを行うことが可能となり、より快適なデータ通信を行うことができる。
【００６０】
また、表示部１５０は、通信状況表示アイコン１６１表示により、通信状況の段階的な度合いを表示するので、使用者は、データ通信時に現在の通信状況が、利用するサービスに適しているかを知ることができる。
【００６１】
（実施の形態２）
図８は、本発明の実施の形態２に係る携帯端末装置の構成を示すブロック図である。図２と同一構成部分には同一符号を付して重複箇所の説明を省略する。
【００６２】
図８に示すように、通信端末装置２００は、送受信部１１０、信号処理部１２０、通信品質算出部１３０、及び切替部２１０を備える。
【００６３】
切替部２１０は、通信品質算出部１３０により算出された通信状況に基づいて、現在利用しているパケット交換及び回線交換等の交換方式、又はＬＴＥ、ＵＭＴＳ及びＷＬＡＮ等の通信技術の通信種別を切替える。
【００６４】
以下、上述のように構成された携帯端末装置２００の動作について説明する。
【００６５】
図９は、携帯端末装置２００の動作を示すフローチャートである。
【００６６】
まず、ステップＳ１１で、送受信部１１０は、基地局からのデータを受信し、受信情報を信号処理部１２０に出力する。
【００６７】
ステップＳ１２では、信号処理部１２０は、受信情報の順序制御、復号化、整合性、及び伸長の処理を行い、エラーの発生率やデータの欠損率の処理内容を通信品質算出部１３０に通知する。通信品質算出部１３０は、信号処理部１２０の処理内容を基に通信状況を算出する。通信品質算出部１３０は、通信状況を算出後、算出した情報を切替部２１０に出力する。
【００６８】
ステップＳ１３では、切替部２１０は、通信品質算出部１３０から出力された情報に基づいて、現在利用のサービスと通信状況を比較する。
【００６９】
ステップＳ１４では、切替部２１０は、通信種別の切替えが必要か否かを判別する。通信種別の切替えが必要でない場合は、上記ステップＳ１１に戻り、通信種別の切替えが必要な場合は、ステップＳ１５に進む。
【００７０】
ステップＳ１５では、切替部２１０は、通信制御を行う信号処理部１２０に、通信種別の切替えを要求する。
【００７１】
このように、本実施の形態によれば、携帯端末装置２００は、判断された通信状況に基づいて、通信種別を切替える切替部２１０を備えるので、通信可能な通信種別からサービスに適した通信種別を選択し、データ通信を行うことができ、使用者はデータ通信をより快適に行うことができる。例えば、携帯端末装置２００は、利用している通信種別の通信状況を把握し、リアルタイム通信を要求するサービスや遅延が許されるファイル転送のサービスなどの利用中のサービスに適した通信種別へ切替えることができる。
【００７２】
なお、切替部２１０は、通信種別の切替えを表示部１５０（図２参照）へ出力することで、使用者の手動による切替えを促すことも可能である。
【００７３】
（実施の形態３）
図１０は、本発明の実施の形態３に係る携帯端末装置を備える通信システムの構成を示すブロック図である。図２と同一構成部分には同一符号を付して重複箇所の説明を省略する。
【００７４】
図１０に示すように、通信システム３００は、携帯端末装置１００、アプリケーションサーバ３１０、交換局３２０、及び基地局３３０を備える。
【００７５】
アプリケーションサーバ３１０は、送受信部３１１、及び信号処理部３１２を備える。
【００７６】
交換局３２０は、送受信部３２１、及び信号処理部３２２を備える。
【００７７】
基地局３３０は、送受信部３３１、及び信号処理部３３２を備える。
【００７８】
以下、上述のように構成された通信システム３００の動作について説明する。
【００７９】
図１１は、通信システム３００の動作を示すフローチャートである。
【００８０】
まず、ステップＳ２１で、アプリケーションサーバ３１０は、サービス情報を交換局３２０に送信し、交換局３２０は、基地局３３０に送信し、基地局３３０は携帯端末装置１００に送信する。
【００８１】
ステップＳ２２では、携帯端末装置１００の送受信部１１０は、基地局３３０から送信された、アプリケーションサーバ３１０の情報を受信する。
【００８２】
ステップＳ２３では、送受信部１１０は、受信した情報を信号処理部１２０に出力する。信号処理部１２０は、受信情報の順序制御、復号化、整合性、及び伸長の処理を行い、エラーの発生率やデータの欠損率の処理内容を通信品質算出部１３０に通知する。通信品質算出部１３０は、信号処理部１２０処理内容に基づいて通信状況を算出する。通信品質算出部１３０は、通信状況を算出後、算出した情報を通知部１４０に出力する。通知部１４０は、通信品質算出部１３０から出力された情報を、表示部１５０で表示するビットマップ配置に変換する。
【００８３】
ステップＳ２４では、表示部１５０は、ビットマップ配置に変換されたデータを表示を更新する。
【００８４】
本実施の形態によれば、通信システム３００において、携帯端末装置１００の使用者は、通信時の状況が把握でき、利用中のサービスに通信種別が適しているか知ることができる。
【００８５】
（実施の形態４）
図１２は、本発明の実施の形態４に係る携帯端末装置を備える通信システムの構成を示すブロック図である。図８と同一構成部分には同一符号を付して重複箇所の説明を省略する。
【００８６】
図１２に示すように、通信システム４００は、携帯端末装置２００、基地局４１０、及び基地局４２０を備える。
【００８７】
基地局４１０は、送受信部４１１及び信号処理部４１２を備える。基地局４１０は、ＬＴＥ基地局であり、パケット交換による通信方式で携帯端末装置２００にデータを送信する。
【００８８】
基地局４２０は、送受信部４２１及び信号処理部４２２を備える。基地局４２０は、ＵＭＴＳ基地局であり、パケット交換による通信方式で携帯端末装置２００にデータを送信する。
【００８９】
以下、上述のように構成された通信システム４００の動作について説明する。
【００９０】
図１３は、通信システム４００の動作を示すフローチャートである。
【００９１】
まず、ステップＳ３１で、基地局４１０は、ＬＴＥ基地局でありパケット交換による通信方式で、携帯端末装置２００にデータを送信する。
【００９２】
ステップＳ３２では、携帯端末装置２００の送受信部１１０は、基地局４１０から送信されたデータを受信する。送受信部１１０は、受信した情報を信号処理部１２０に出力する。
【００９３】
ステップＳ３３では、信号処理部１２０は、受信情報の順序制御、復号化、整合性、及び伸長の処理を行い、エラーの発生率やデータの欠損率の処理内容を通信品質算出部１３０に通知する。通信品質算出部１３０は、信号処理部１２０の処理内容に基づいて通信状況を算出する。通信品質算出部１３０は、通信状況を算出後、算出した情報を切替部２１０に出力する。
【００９４】
ステップＳ３４では、切替部２１０は、出力された情報を基に、現在利用のサービスと通信状況を比較する。
【００９５】
ステップＳ３５では、切替部２１０は、通信種別の切替えが必要か否かを判別する。通信種別の切替えが必要でない場合は、上記ステップＳ３１に戻り、通信種別の切替えが必要な場合は、ステップＳ３６に進む。
【００９６】
ステップＳ３６では、切替部２１０は、通信制御を行う信号処理部１２０に、通信種別の切替えを要求する。信号処理部１２０から通信種別の切替要求の応答を受けた切替部２１０は、通信先を、ＬＴＥ基地局（基地局４１０）から、ＵＭＴＳ基地局（基地局４２０）の回線交換による通信方式に切替える。
【００９７】
本実施の形態によれば、通信システム４００において、携帯端末装置２００の利用者は、利用している通信種別の通信状況を把握し、リアルタイム通信を要求するサービスや遅延が許されるファイル転送のサービスなどの利用中のサービスに適した通信種別へ切替えることができる。
【００９８】
なお、基地局４２０は、ＧＳＭ基地局、無線ＬＡＮアクセスポイントとすることも可能である。
【００９９】
また、通信方式は同じパケット交換方式を利用し、ＱｏＳやリソース割り当て要求を行うことで、通信路の設定を変更することも可能である。
【０１００】
以上の説明は本発明の好適な実施の形態の例証であり、本発明の範囲はこれに限定されることはない。
【０１０１】
上記各実施の形態では、携帯端末装置として、携帯電話機に適用した例について説明しているが、携帯電話機に限らずＰＤＡ（Personal Digital Assistants）等の携帯情報端末、パーソナルコンピュータ又はその融合された装置、さらにはＭＰ３プレーヤ、ＨＤＤプレーヤ、携帯型ゲーム機などの携帯機器に適用可能である。
【０１０２】
上記通信状況の算出方法は一例であり、パラメータをさらに増やすことにより、より精度の高いデータ受信状況を把握することができる。
【０１０３】
例えば、ヘッダ圧縮の一つであるＲＯＨＣの動作モードやステートを用いることも可能である。あるいは、基地局から送信される、ＡＣＫ／ＮＡＣＫの応答情報を用いることも可能である。
【０１０４】
また、通信品質算出部１３０は、通信状況を伝送路（Data Radio Bearer）ごとに算出し、通知したとしても構わない。
【０１０５】
また、通知部１４０は、表示部１５０へ信号を出力していたが、例えば、音や振動などにより、データ通信環境を使用者へ通知したとしても構わない。
【０１０６】
また、通信状況表示アイコン１６１は、山形状にしたが、段階的な度合いを表示していればこの形状に限られるものではなく、例えば、データ通信状況を数値や図７と異なる表示のアイコンを用いて現してもよい。
【０１０７】
上記各実施の形態では、携帯端末装置、通信システム及び通信方法という名称を用いたが、これは説明の便宜上であり、装置は携帯情報端末、携帯機器、方法は通信品質表示方法等であってもよい。
【０１０８】
さらに、上記携帯端末装置及び基地局を構成する各構成部、例えば送受信部の種類、信号処理などは前述した実施の形態に限られない。
【０１０９】
上記各実施の形態では、本発明をハードウェアで構成する場合を例にとって説明したが、本発明はソフトウェアで実現することも可能である。
【０１１０】
また、上記各実施の形態の説明に用いた各機能ブロックは、典型的には集積回路であるＬＳＩとして実現される。これらは個別に１チップ化されてもよいし、一部又は全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１１１】
また、集積回路化の手法はＬＳＩに限るものではなく、専用回路又は汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。
【０１１２】
さらには、半導体技術の進歩又は派生する別技術によりＬＳＩに置き換わる集積回路化の技術が登場すれば、当然、その技術を用いて機能ブロックの集積化を行ってもよい。例えば、バイオ技術の適用等が可能である。
【産業上の利用可能性】
【０１１３】
本発明に係る携帯端末装置、通信システム及び通信方法は、現在の利用する通信種別がサービス毎の通信に適しているのかを知ることができる。携帯電話機／ＰＨＳなどの携帯情報端末の用途に全般に適用可能である。
【符号の説明】
【０１１４】
１００，２００  携帯端末装置
１０１  アンテナ
１０２，１５０  表示部
１０３  操作部
１１０，３１１，３２１，３３１，４１１，４２１  送受信部
１２０，３１２，３２２，３３２，４１２，４２２  信号処理部
１２１  欠損率検出部
１２２  データエラー率検出部
１３０  通信品質算出部
１４０  通知部
２１０  切替部
３００，４００  通信システム
３１０  アプリケーションサーバ
３２０  交換局
３３０，４１０，４２０  基地局
１２２１  復元エラー率検出部
１２２２  伸長エラー率検出部
１２２３  整合性エラー率検出部
【図１】
2011254348.tif 000003
【図２】
2011254348.tif 000004
【図３】
2011254348.tif 000005
【図４】
2011254348.tif 000006
【図５】
2011254348.tif 000007
【図６】
2011254348.tif 000008
【図７】
2011254348.tif 000009
【図８】
2011254348.tif 000010
【図９】
2011254348.tif 000011
【図１０】
2011254348.tif 000012
【図１１】
2011254348.tif 000013
【図１２】
2011254348.tif 000014
【図１３】
2011254348.tif 000015